(57)【要約】  本開示は、同期優先度の識別方法および装置を提供する。当該方法において、ノードとＧＮＳＳとの接続関係およびノードと基地局のカバレッジエリアとの相対関係に基づいて、ノードの同期優先度を確定することと、ノードの同期優先度に基づいて、ノードの同期シーケンスおよびノードのカバレッジエリアマークを設定することとを含み、ノードの同期シーケンスとカバレッジエリアマークの組み合わせを、ノードの同期優先度を識別するために用いる。【選択図】  図２
2019516290.tif 000002
【特許請求の範囲】
【請求項１】
ノードと全球測位衛星システムＧＮＳＳとの接続関係および前記ノードと基地局のカバレッジエリアとの相対関係に基づいて、前記ノードの同期優先度を確定することと、
前記ノードの同期優先度に基づいて、前記ノードの同期シーケンスおよび前記ノードのカバレッジエリアマークを設定することとを含み、
前記ノードの同期シーケンスとカバレッジエリアマークの組み合わせを、前記ノードの同期優先度を識別するために用いる同期優先度の識別方法。
【請求項２】
前記ノードと前記基地局のカバレッジエリアとの相対関係は、
前記ノードが前記基地局のカバレッジエリア内にあるという第１相対関係と、
前記ノードが、前記基地局のカバレッジエリア外にあるものの、前記基地局のカバレッジエリア内のノードから送信される同期情報を受信して前記基地局のカバレッジエリア内のノードに同期することができるという第２相対関係と、
前記ノードが、前記基地局のカバレッジエリア外にあり、前記基地局のカバレッジエリア内のノードから送信される同期情報を受信することができないという第３相対関係とを含む請求項１に記載の同期優先度の識別方法。
【請求項３】
前記のノードと全球測位衛星システムＧＮＳＳとの接続関係および前記ノードと基地局のカバレッジエリアとの相対関係に基づいて、前記ノードの同期優先度を確定する前に、
前記ノードに用いられる同期方法を確定することをさらに含み、
前記同期方法は、ＧＮＳＳに基づく同期および基地局に基づく同期を含む請求項１に記載の同期優先度の識別方法。
【請求項４】
前記同期方法がＧＮＳＳに基づく同期であれば、前記のノードと全球測位衛星システムＧＮＳＳとの接続関係および前記ノードと基地局のカバレッジエリアとの相対関係に基づいて、前記ノードの同期優先度を確定することは、
前記ノードが前記基地局のカバレッジエリア内にあり、かつ前記ノードが前記ＧＮＳＳの情報を直接的に取得することができる場合、前記ノードの同期優先度を第１優先度に確定することと、
前記ノードが前記基地局のカバレッジエリア外にあり、かつ前記ノードが前記ＧＮＳＳの情報を直接的に取得することができる場合、前記ノードの同期優先度を第２優先度に確定することと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定することと、
それ以外の場合、前記ノードの同期優先度を第４優先度に確定することとを含む請求項３に記載の同期優先度の識別方法。
【請求項５】
前記ノードの同期優先度を第４優先度に確定することは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定することと、
前記ノードが前記基地局のカバレッジエリア外になり、かつ前記ノードが独立同期ソースを用いる場合、前記ノードの同期優先度を第４優先度に確定することとを含む請求項４に記載の同期優先度の識別方法。
【請求項６】
前記同期方法が基地局に基づく同期であれば、前記のノードと全球測位衛星システムＧＮＳＳとの接続関係および前記ノードと基地局のカバレッジエリアとの相対関係に基づいて、前記ノードの同期優先度を確定することは、
前記ノードが前記基地局のカバレッジエリア内にあり、かつ前記ノードが前記基地局に同期する場合、前記ノードの同期優先度を第１優先度に確定することと、
前記ノードが前記基地局のカバレッジエリア外にあり、かつ前記ノードが前記ＧＮＳＳの情報を直接的に取得することができる場合、前記ノードの同期優先度を第２優先度に確定することと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定することと、
それ以外の場合、前記ノードの同期優先度を第４優先度に確定することとを含む請求項３または５に記載の同期優先度の識別方法。
【請求項７】
前記ノードの同期優先度を第４優先度に確定することは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定することと、
前記ノードが前記基地局のカバレッジエリア外になり、かつ前記ノードが基地局のカバレッジエリア内のノードから送信される同期情報を受信することができる場合、前記ノードの同期優先度を第４優先度に確定することと、
前記ノードが前記基地局のカバレッジエリア外になり、かつ前記ノードが独立同期ソースを用いる場合、前記ノードの同期優先度を第４優先度に確定することとを含む請求項６に記載の同期優先度の識別方法。
【請求項８】
前記の前記ノードの同期優先度に基づいて、前記ノードの同期シーケンスおよび前記ノードのカバレッジエリアマークを設定することは、
前記ノードの同期優先度が第１優先度である場合、
前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、
前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定することと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定することと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定することと、
前記ノードの同期優先度が第４優先度である場合、
前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、
前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、
前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定することとを含む請求項７に記載の同期優先度の識別方法。
【請求項９】
前記の前記ノードの同期優先度に基づいて、前記ノードの同期シーケンスおよび前記ノードのカバレッジエリアマークを設定することは、
前記ノードの同期シーケンスが第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定することをさらに含む請求項８に記載の同期優先度の識別方法。
【請求項１０】
ノードと全球測位衛星システムＧＮＳＳとの接続関係および前記ノードと基地局のカバレッジエリアとの相対関係に基づいて、前記ノードの同期優先度を確定するための優先度確定モジュールと、
前記ノードの同期優先度に基づいて、前記ノードの同期シーケンスおよび前記ノードのカバレッジエリアマークを設定するためのマーク設定モジュールとを含み、
前記ノードの同期シーケンスとカバレッジエリアマークの組み合わせを、前記ノードの同期優先度を識別するために用いる同期優先度の識別装置。
【請求項１１】
前記ノードと基地局のカバレッジエリアとの相対関係は、
前記ノードが前記基地局のカバレッジエリア内にあるという第１相対関係と、
前記ノードが、前記基地局のカバレッジエリア外にあるものの、前記基地局のカバレッジエリア内のノードから送信される同期情報を受信して前記基地局のカバレッジエリア内のノードに同期することができるという第２相対関係と、
前記ノードが、前記基地局のカバレッジエリア外にあり、前記基地局のカバレッジエリア内のノードから送信される同期情報を受信することができないという第３相対関係とを含む請求項１０に記載の同期優先度の識別装置。
【請求項１２】
前記ノードに用いられる同期方法を確定するための同期方法確定モジュールをさらに含み、
前記同期方法は、ＧＮＳＳに基づく同期および基地局に基づく同期を含む請求項１０に記載の同期優先度の識別装置。
【請求項１３】
前記同期方法がＧＮＳＳに基づく同期であれば、前記優先度確定モジュールは、
前記ノードが前記基地局のカバレッジエリア内にあり、かつ前記ノードが前記ＧＮＳＳの情報を直接的に取得することができる場合、前記ノードの同期優先度を第１優先度に確定するための第１ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第２ユニットと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第３ユニットと、
前記ノードが前記第１ユニット、第２ユニットおよび第３ユニットの条件を満たさない場合、前記ノードの同期優先度を第４優先度に確定するための第４ユニットとを含む請求項１２に記載の同期優先度の識別装置。
【請求項１４】
前記第４ユニットは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第１サブユニットと、
前記ノードが前記基地局のカバレッジエリア外になり、かつ前記ノードが独立同期ソースを用いる場合、前記ノードの同期優先度を第４優先度に確定するための第２サブユニットとを含む請求項１３に記載の同期優先度の識別装置。
【請求項１５】
前記同期方法が基地局に基づく同期であれば、前記優先度確定モジュールは、
前記ノードが前記基地局のカバレッジエリア内にあり、かつ前記ノードが前記基地局に同期する場合、前記ノードの同期優先度を第１優先度に確定するための第５ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第６ユニットと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第７ユニットと、
前記ノードが前記第５ユニット、第６ユニットおよび第７ユニットの条件を満たさない場合、前記ノードの同期優先度を第４優先度に確定するための第８ユニットとを含む請求項１２または１４に記載の同期優先度の識別装置。
【請求項１６】
前記第８ユニットは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第３サブユニットと、
前記ノードが前記基地局のカバレッジエリア外になり、かつ前記ノードが基地局のカバレッジエリア内のノードから送信される同期情報を受信することができる場合、前記ノードの同期優先度を第４優先度に確定するための第４サブユニットと、
前記ノードが前記基地局のカバレッジエリア外になり、かつ前記ノードが独立同期ソースを用いる場合、前記ノードの同期優先度を第４優先度に確定するための第５サブユニットとを含む請求項１５に記載の同期優先度の識別装置。
【請求項１７】
前記マーク設定モジュールは、
前記ノードの同期優先度が第１優先度である場合、
前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、
前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定するための第１設定ユニットと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定するための第２設定ユニットと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定するための第３設定ユニットと、
前記ノードの同期優先度が第４優先度である場合、
前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、
前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、
前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定するための第４設定ユニットとを含む請求項１６に記載の同期優先度の識別装置。
【請求項１８】
前記マーク設定モジュールは、
前記ノードの同期シーケンスが第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定するための第５設定ユニットをさらに含む請求項１７に記載の同期優先度の識別装置。
【請求項１９】
プロセッサと、
バスインタフェースを介して前記プロセッサに接続され、前記プロセッサによる操作実行に使用されるプログラムとデータを記憶するためのメモリとを含む同期優先度の識別装置であって、
前記プロセッサが前記メモリに記憶されているプログラムとデータを呼び出して実行することによって、
ノードと全球測位衛星システムＧＮＳＳとの接続関係および前記ノードと基地局のカバレッジエリアとの相対関係に基づいて、前記ノードの同期優先度を確定するための優先度確定モジュールと、
前記ノードの同期優先度に基づいて、前記ノードの同期シーケンスおよび前記ノードのカバレッジエリアマークを設定するためのマーク設定モジュールとが実現され、
前記ノードの同期シーケンスとカバレッジエリアマークの組み合わせを、前記ノードの同期優先度を識別するために用いる同期優先度の識別装置。
【請求項２０】
請求項１０〜１８のいずれか一項に記載される同期優先度の識別装置を含む路車協調通信システム。
【請求項２１】
路車協調通信システムに用いられる同期優先度の識別方法であって、
ノードと全球測位衛星システムＧＮＳＳとの接続関係および前記ノードと基地局のカバレッジエリアとの相対関係に基づいて、前記ノードの同期優先度を確定することと、
前記ノードの同期優先度に基づいて、前記ノードの同期シーケンスおよび前記ノードのカバレッジエリアマークを設定することとを含み、
前記ノードの同期シーケンスとカバレッジエリアマークの組み合わせを、前記ノードの同期優先度を識別するために用いる同期優先度の識別方法。
【発明の詳細な説明】
【技術分野】
【０００１】
本願は、２０１６年３月３１日に中国特許庁に提出された中国特許出願２０１６１０１９７１０９．８の優先権を主張し、その全ての内容が援用によりここに取り込まれる。
【０００２】
本開示は、通信技術分野に係り、特に同期優先度の識別方法および装置に係る。
【背景技術】
【０００３】
路車協調通信システムは、無線通信などの技術に基づき、車輌間および路車情報のやり取りや共有を行い、車輌とインフラとの間のスマートな協調と連携を実現し、システムリソースの最適化利用、道路交通安全、交通渋滞緩和の目標を達成する。
【０００４】
現在、３ＧＰＰ仕様の検討において、ＬＴＥ（Ｌｏｎｇ  Ｔｅｒｍ  Ｅｖｏｌｕｔｉｏｎ）  Ｄ２Ｄ（端末から端末）通信標準で３つの同期優先度に区分され、優先度の高い順に、カバレッジ内端末＞部分カバレッジ端末＞カバレッジ外端末になっている。標準では、図１のように、ＳＬＳＳ同期シーケンスおよびＰＳＢＣＨに伝送される１ビットのカバレッジエリア（ｉｎ  ｃｏｖｅｒａｇｅ）マークの組み合わせによる同期優先度の区分が規定されている。
【０００５】
具体的な処理は、以下である。
カバレッジ内端末：同期シーケンスがｉｄ＿ｎｅｔ集合にあり、値の範囲が［０，１６７］であり、同時にｉｎ  ｃｏｖｅｒａｇｅマークがＴｒｕｅである。
部分カバレッジ端末：カバレッジ内端末に同期し、送信する同期シーケンスは、選択する同期参照ＵＥ（カバレッジ内端末）の同期シーケンスとは同一であり、ただしそのｉｎ  ｃｏｖｅｒａｇｅマークがＦａｌｓｅである。
カバレッジ外端末：以下の３種類のケースに分ける。
１）選択する同期参照端末が部分カバレッジ端末であり、送信する同期シーケンス番号は、参照ＵＥ（部分カバレッジ端末）の同期シーケンス番号＋１６８であり、同期シーケンスがｉｄ＿ｏｏｎ集合にあり、値の範囲が［１６８，３３５］であり、かつそのｉｎ  ｃｏｖｅｒａｇｅマークがＦａｌｓｅである。
２）選択する同期参照端末がカバレッジ外端末であり、送信する同期シーケンスは、選択する参照ＵＥ（カバレッジ外端末）の同期シーケンスとは同一であり、同期シーケンスがｉｄ＿ｏｏｎ集合にあり、値の範囲が［１６８，３３５］であり、かつｉｎ  ｃｏｖｅｒａｇｅマークがＦａｌｓｅである。
３）当該端末が同期参照ＵＥを全く選択せずに独立同期ソースを形成すると、同期シーケンスがｉｄ＿ｏｏｎ集合にあり、端末が［１６８，３３５］から１つのシーケンスを任意に選択して自身の同期シーケンスとして送信し、かつｉｎ  ｃｏｖｅｒａｇｅマークがＦａｌｓｅである。
【０００６】
ＩｏＶ（ｉｎｔｅｒｎｅｔ  ｏｆ  Ｖｅｈｉｃｌｅ）通信において、２種類の同期ソースの存在がありうる。ＧＮＳＳ（全球測位衛星システム）の情報を直接的に取得するノードが同期ソースを提供する可能性もあるし、相変わらず基地局を同期ソースとする可能性もある。
【０００７】
ＬＴＥ  Ｄ２Ｄ通信の基地局ｅＮＢを中心ノードとする集中式同期ネットワークにおいて、カバレッジ内ＵＥがｅＮＢから取得した同期を転送することによって、当該ｅＮＢのカバレッジ外のＵＥでも、カバレッジ内ＵＥの同期を取得することもできる。部分カバレッジシーンでは、ネットワークカバレッジ境界のＵＥは、カバレッジ内ＵＥから転送されるＤ２ＤＳＳ（Ｄ２Ｄ同期信号）を取得することもでき、カバレッジ外ＵＥは、Ｄ２ＤＳＳに基づいて、ネットワークのカバレッジ内のＤ２Ｄ信号を受信することもできる。同時に、ｅＮＢから遠いカバレッジ外ＵＥでも、ＩＳＳに基づく同期ネットワークを形成することもできる。ＬＴＥ  Ｄ２Ｄにおいて、同期ソースとして直接的にＧＮＳＳを取得するノードが考慮されない。同期メカニズムでは、基地局のみを中心とすることが考慮され、基地局のクロックが外部へ伝達される。
【０００８】
ＩｏＶにおいて、車輌ノードは、携帯電話端末より処理力が強く、ノードの問題を考慮する必要がなく、信頼可能な同期信号を直接的に取得することができ、直接同期ソースとすることができ、同期収束を加速させ、同期精度を高め、統一のタイミングを形成し、同期クラスタの数を減らすことができる。
【０００９】
したがって、ＩｏＶにおける同期通信をサポートするために、ＩｏＶの同期情報送信メカニズムを改良する必要がある。路車協調通信システムにおいて、基地局のみを中心として統一の同期体系を形成するＬＴＥ  Ｄ２Ｄに比較し、ＧＮＳＳの導入によって、同期情報を提供する同期ソースが複数あり、同期収束を加速させ、同期クラスタ数を減らすことができる。しかし、現在、端末が同期情報受信後に同期優先度を確定して同期調整を行うことを可能にする合理的な同期情報送信方法が提案されていない。
【発明の概要】
【発明が解決しようとする課題】
【００１０】
本開示の目的は、関連技術で基地局のみを同期ソースとする場合に、同期収束が遅く、同期クラスタが多く、同期精度が高くない問題を解決する同期優先度の識別方法および装置を提供することである。
【課題を解決するための手段】
【００１１】
上述した目的を達成するために、本開示の実施例による同期優先度の識別方法において、
ノードと全球測位衛星システムＧＮＳＳとの接続関係および前記ノードと基地局のカバレッジエリアとの相対関係に基づいて、前記ノードの同期優先度を確定することと、
前記ノードの同期優先度に基づいて、前記ノードの同期シーケンスおよび前記ノードのカバレッジエリアマークを設定することとを含み、
前記ノードの同期シーケンスとカバレッジエリアマークの組み合わせを、前記ノードの同期優先度を識別するために用いる。
【００１２】
ここで、前記ノードと前記基地局のカバレッジエリアとの相対関係は、
前記ノードが前記基地局のカバレッジエリア内にあるという第１相対関係と、
前記ノードが、前記基地局のカバレッジエリア外にあるものの、前記基地局のカバレッジエリア内のノードから送信される同期情報を受信して前記基地局のカバレッジエリア内のノードに同期することができるという第２相対関係と、
前記ノードが、前記基地局のカバレッジエリア外にあり、前記基地局のカバレッジエリア内のノードから送信される同期情報を受信することができないという第３相対関係とを含む。
【００１３】
ここで、前記のノードと全球測位衛星システムＧＮＳＳとの接続関係および前記ノードと基地局のカバレッジエリアとの相対関係に基づいて、前記ノードの同期優先度を確定する前に、
前記ノードに用いられる同期方法を確定することをさらに含み、
前記同期方法は、ＧＮＳＳに基づく同期および基地局に基づく同期を含む。
【００１４】
ここで、前記同期方法がＧＮＳＳに基づく同期であれば、前記のノードと全球測位衛星システムＧＮＳＳとの接続関係および前記ノードと基地局のカバレッジエリアとの相対関係に基づいて、前記ノードの同期優先度を確定することは、
前記ノードが前記基地局のカバレッジエリア内にあり、かつ前記ノードが前記ＧＮＳＳの情報を直接的に取得することができる場合、前記ノードの同期優先度を第１優先度に確定することと、
前記ノードが前記基地局のカバレッジエリア外にあり、かつ前記ノードが前記ＧＮＳＳの情報を直接的に取得することができる場合、前記ノードの同期優先度を第２優先度に確定することと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定することと、
それ以外の場合、前記ノードの同期優先度を第４優先度に確定することとを含む。
【００１５】
ここで、前記ノードの同期優先度を第４優先度に確定することは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定することと、
前記ノードが前記基地局のカバレッジエリア外になり、かつ前記ノードが独立同期ソースを用いる場合、前記ノードの同期優先度を第４優先度に確定することとを含む。
【００１６】
ここで、前記同期方法が基地局に基づく同期であれば、前記のノードと全球測位衛星システムＧＮＳＳとの接続関係および前記ノードと基地局のカバレッジエリアとの相対関係に基づいて、前記ノードの同期優先度を確定することは、
前記ノードが前記基地局のカバレッジエリア内にあり、かつ前記ノードが前記基地局に同期する場合、前記ノードの同期優先度を第１優先度に確定することと、
前記ノードが前記基地局のカバレッジエリア外にあり、かつ前記ノードが前記ＧＮＳＳの情報を直接的に取得することができる場合、前記ノードの同期優先度を第２優先度に確定することと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定することと、
それ以外の場合、前記ノードの同期優先度を第４優先度に確定することとを含む。
【００１７】
ここで、前記ノードの同期優先度を第４優先度に確定することは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定することと、
前記ノードが前記基地局のカバレッジエリア外になり、かつ前記ノードが基地局のカバレッジエリア内のノードから送信される同期情報を受信することができる場合、前記ノードの同期優先度を第４優先度に確定することと、
前記ノードが前記基地局のカバレッジエリア外になり、かつ前記ノードが独立同期ソースを用いる場合、前記ノードの同期優先度を第４優先度に確定することとを含む。
【００１８】
ここで、前記の前記ノードの同期優先度に基づいて、前記ノードの同期シーケンスおよび前記ノードのカバレッジエリアマークを設定することは、
前記ノードの同期優先度が第１優先度である場合、
前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、
前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定することと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定することと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定することと、
前記ノードの同期優先度が第４優先度である場合、
前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、
前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、
前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定することとを含む。
【００１９】
ここで、前記の前記ノードの同期優先度に基づいて、前記ノードの同期シーケンスおよび前記ノードのカバレッジエリアマークを設定することは、
前記ノードの同期シーケンスが第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定することをさらに含む。
【００２０】
本開示の実施例による同期優先度の識別装置は、
ノードと全球測位衛星システムＧＮＳＳとの接続関係および前記ノードと基地局のカバレッジエリアとの相対関係に基づいて、前記ノードの同期優先度を確定するための優先度確定モジュールと、
前記ノードの同期優先度に基づいて、前記ノードの同期シーケンスおよび前記ノードのカバレッジエリアマークを設定するためのマーク設定モジュールとを含み、
前記ノードの同期シーケンスとカバレッジエリアマークの組み合わせを、前記ノードの同期優先度を識別するために用いる。
【００２１】
ここで、前記ノードと基地局のカバレッジエリアとの相対関係は、
前記ノードが前記基地局のカバレッジエリア内にあるという第１相対関係と、
前記ノードが、前記基地局のカバレッジエリア外にあるものの、前記基地局のカバレッジエリア内のノードから送信される同期情報を受信して前記基地局のカバレッジエリア内のノードに同期することができるという第２相対関係と、
前記ノードが、前記基地局のカバレッジエリア外にあり、前記基地局のカバレッジエリア内のノードから送信される同期情報を受信することができないという第３相対関係とを含む。
【００２２】
ここで、前記ノードに用いられる同期方法を確定するための同期方法確定モジュールをさらに含み、
前記同期方法は、ＧＮＳＳに基づく同期および基地局に基づく同期を含む。
【００２３】
ここで、前記同期方法がＧＮＳＳに基づく同期であれば、前記優先度確定モジュールは、
前記ノードが前記基地局のカバレッジエリア内にあり、かつ前記ノードが前記ＧＮＳＳの情報を直接的に取得することができる場合、前記ノードの同期優先度を第１優先度に確定するための第１ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第２ユニットと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第３ユニットと、
前記ノードが前記第１ユニット、第２ユニットおよび第３ユニットの条件を満たさない場合、前記ノードの同期優先度を第４優先度に確定するための第４ユニットとを含む。
【００２４】
ここで、前記第４ユニットは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第１サブユニットと、
前記ノードが前記基地局のカバレッジエリア外になり、かつ前記ノードが独立同期ソースを用いる場合、前記ノードの同期優先度を第４優先度に確定するための第２サブユニットとを含む。
【００２５】
ここで、前記同期方法が基地局に基づく同期であれば、前記優先度確定モジュールは、
前記ノードが前記基地局のカバレッジエリア内にあり、かつ前記ノードが前記基地局に同期する場合、前記ノードの同期優先度を第１優先度に確定するための第５ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第６ユニットと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第７ユニットと、
前記ノードが前記第５ユニット、第６ユニットおよび第７ユニットの条件を満たさない場合、前記ノードの同期優先度を第４優先度に確定するための第８ユニットとを含む。
【００２６】
ここで、前記第８ユニットは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第３サブユニットと、
前記ノードが前記基地局のカバレッジエリア外になり、かつ前記ノードが基地局のカバレッジエリア内のノードから送信される同期情報を受信することができる場合、前記ノードの同期優先度を第４優先度に確定するための第４サブユニットと、
前記ノードが前記基地局のカバレッジエリア外になり、かつ前記ノードが独立同期ソースを用いる場合、前記ノードの同期優先度を第４優先度に確定するための第５サブユニットとを含む。
【００２７】
ここで、前記マーク設定モジュールは、
前記ノードの同期優先度が第１優先度である場合、
前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、
前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定するための第１設定ユニットと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定するための第２設定ユニットと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定するための第３設定ユニットと、
前記ノードの同期優先度が第４優先度である場合、
前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、
前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、
前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定するための第４設定ユニットとを含む。
【００２８】
ここで、前記マーク設定モジュールは、
前記ノードの同期シーケンスが第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定するための第５設定ユニットをさらに含む。
【発明の効果】
【００２９】
本開示の実施例の同期優先度の識別方法および装置において、路車協調通信システム中のノードとＧＮＳＳとの接続関係およびノードと基地局のカバレッジエリアとの相対関係に基づいてノードの同期優先度を確定し、同期シーケンスとカバレッジエリアマークの組み合わせで異なる同期優先度を識別することによって、他のノードは、異なる同期優先度を区別することができる。ＧＮＳＳの情報を直接的に取得するノードを同期ソースとすることをサポートし、基地局を同期ソースとすることもサポートすることで、同期収束を加速させ、同期クラスの数を減らし、同期精度を高めることができる。
【図面の簡単な説明】
【００３０】
【図１】関連技術のＬＴＥ  Ｄ２Ｄ通信標準における同期優先度およびシーケンスを示す。
【図２】本開示の実施例１による同期優先度の識別方法の基本的フローチャートである。
【図３】本開示の実施例２による同期優先度の識別方法の基本的フローチャートである。
【図４】本開示の例１における同期優先度およびシーケンスの原理図である。
【図５】本開示の例２における同期優先度およびシーケンスの原理図である。
【図６】本開示の例３における同期優先度およびシーケンスの原理図である。
【図７】本開示の実施例３による同期優先度の識別装置の構造図である。
【図８】本開示の実施例４による同期優先度の識別装置の構造図である。
【発明を実施するための形態】
【００３１】
本開示の解決しようとする技術課題、技術手段および利点は、より明確にされることを図り、以下、図面および具体的な実施例とともに詳細に記載される。
【００３２】
実施例１
図２に示されているように、本開示の実施例１による同期優先度の識別方法は、
ノードと全球測位衛星システムＧＮＳＳとの接続関係および前記ノードと基地局のカバレッジエリアとの相対関係に基づいて、前記ノードの同期優先度を確定するステップ１１と、
前記ノードの同期優先度に基づいて、前記ノードの同期シーケンスおよび前記ノードのカバレッジエリアマークを設定するステップ１２とを含み、
前記ノードの同期シーケンスとカバレッジエリアマークの組み合わせを、前記ノードの同期優先度を識別するために用いる。
【００３３】
本開示の実施例１による同期優先度の識別方法は、通常路車協調通信システムに適用し、かつステップ１２で設定された同期シーケンスおよびカバレッジエリアマークは、ＩｏＶの中の同期情報によって送信されることによって、ＩｏＶにおける同期通信をサポートする。ノードのカバレッジエリアマークは、具体的に、「ｉｎ  ｃｏｖｅｒａｇｅマーク」と称される。
【００３４】
本開示の実施例１において、ＧＮＳＳの導入によって、同期情報を提供する複数の同期ソースが通信システムに存在する。具体的に、ＧＮＳＳの情報を直接的に取得することのできるノードを同期ソースとする。または相変わらず基地局を同期ソースとする。複数の同期ソースが同期情報を提供することによって、同期収束を加速させ、同期クラスタを減らし、同期効率を高めることができる。
【００３５】
実施例２
図３に示されているように、本開示の実施例２による同期優先度の識別方法は、ステップ２０〜ステップ２２を含む。
【００３６】
ステップ２０において、前記ノードに用いられる同期方法を確定する。ここで、前記同期方法は、ＧＮＳＳに基づく同期および基地局に基づく同期を含む。
【００３７】
具体的に、本開示の実施例において、通信システムで多種類の同期ソースの提供が可能であるため、ノードの同期優先度を確定する前に、その同期方法を確定する必要がある。その同期方法を踏まえ、ノードと全球測位衛星システムＧＮＳＳとの接続関係および前記ノードと基地局のカバレッジエリアとの相対関係に基づいて、初めてノードの同期優先度が確定される。
【００３８】
本開示の実施例において、ノードの同期優先度を、第１優先度、第２優先度、第３優先度および第４優先度に区分する。しかも、ＧＮＳＳに基づく同期および基地局に基づく同期別に、その区分方法が異なる。したがって、以下、ＧＮＳＳに基づく同期および基地局に基づく同期別に、同期優先度の区分方法を詳細に記載する。
【００３９】
ステップ２１において、ノードと全球測位衛星システムＧＮＳＳとの接続関係および前記ノードと基地局のカバレッジエリアとの相対関係に基づいて、前記ノードの同期優先度を確定する。
【００４０】
ステップ２２において、前記ノードの同期優先度に基づいて、前記ノードの同期シーケンスおよび前記ノードのカバレッジエリアマークを設定する。ここで、前記ノードの同期シーケンスと前記カバレッジエリアマークの組み合わせは、前記ノードの同期優先度を識別するために用いられる。
【００４１】
本願の技術手段をより明確に記載するために、まずノードとＧＮＳＳとの接続関係をまとめる。ノードとＧＮＳＳとは、３種類の接続関係がある。接続関係１では、ノードは、前記ＧＮＳＳの情報を直接的に取得することができる。接続関係２では、ノードは、前記ＧＮＳＳの情報を直接的に取得することができないものの、もう１つのノードの転送によって前記ＧＮＳＳの情報を間接的に取得することができる。すなわち、ノードは、間接の１ホップによってＧＮＳＳの情報を取得することができる。接続関係３では、ノードは、前記ＧＮＳＳの情報を直接的に取得することができないものの、別の複数ノードの順次転送によって前記ＧＮＳＳの情報を間接的に取得することができる。すなわち、ノードは、間接の２ホップ以上によってＧＮＳＳの情報を取得することができる。次に、ノードと基地局のカバレッジエリアとの相対関係をまとめる。ノードと基地局のカバレッジエリアとは、３種類の相対関係が存在する。相対関係１では、ノードは、基地局のカバレッジエリア内にあり、カバレッジ内ノードと称される。相対関係２では、ノードは、基地局のカバレッジエリア外にあるものの、カバレッジ内ノードから送信される同期情報を受信して当該カバレッジ内ノードに同期することができ、部分カバレッジノードと称される。相対関係３では、ノードは、基地局のカバレッジエリア外にあり、カバレッジ内ノードから送信される同期情報を受信することができず、カバレッジ外ノードと称される。
【００４２】
本開示の実施例において、３種類の接続関係をそれぞれ３種類の相対関係と組み合わせ、その組み合わせに基づいてノードの同期優先度を確定する。
【００４３】
さらに、前記同期方法がＧＮＳＳに基づく同期であれば、ステップ２１は、具体的に、ステップ２１１〜ステップ２１４を含む。
【００４４】
ステップ２１１において、前記ノードが前記基地局のカバレッジエリア内にあり、かつ前記ノードが前記ＧＮＳＳの情報を直接的に取得することができる場合、前記ノードの同期優先度を第１優先度に確定する。
【００４５】
本ステップにおいて、第１優先度のノードは、カバレッジ内ノードであることと、ＧＮＳＳの情報を直接的に取得することのできるノードであることとの２つの条件を満たす必要がある。
【００４６】
ステップ２１２において、前記ノードが前記基地局のカバレッジエリア外にあり、かつ前記ノードが前記ＧＮＳＳの情報を直接的に取得することができる場合、前記ノードの同期優先度を第２優先度に確定する。
【００４７】
本ステップにおいて、前記ノードが前記基地局のカバレッジエリア外にあることは、カバレッジ外ノードと部分カバレッジノードの２種類のケースがある。すると、当該第２優先度のノードは、カバレッジ外ノードであることと、ＧＮＳＳの情報を直接的に取得することのできるノードであることとの２つの条件を満たす必要がある。または、当該第２優先度のノードは、部分カバレッジノードであることと、ＧＮＳＳの情報を直接的に取得することのできるノードであることとの２つの条件を満たす必要がある。
【００４８】
ステップ２１３において、前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定する。
【００４９】
本ステップにおいて、前記ノードが前記ＧＮＳＳの情報を直接的に取得することができないものの、間接の１ホップによってＧＮＳＳの情報を取得することができれば、当該ノードは、基地局のカバレッジエリア内であるかカバレッジエリア外であるかに関わらず、その同期優先度がいずれも第３優先度である。すなわち、当該第３優先度のノードは、カバレッジ内ノードであることと、間接の１ホップによってＧＮＳＳの情報を取得することのできるノードであることとの２つの条件を満たす必要がある。または、当該第３優先度のノードは、カバレッジ外ノードであることと、間接の１ホップによってＧＮＳＳの情報を取得することのできるノードであることとの２つの条件を満たす必要がある。または、当該第３優先度のノードは、部分カバレッジノードであることと、間接の１ホップによってＧＮＳＳの情報を取得することのできるノードであることとの２つの条件を満たす必要がある。
【００５０】
ステップ２１４において、それ以外の場合、前記ノードの同期優先度を第４優先度に確定する。すなわち、ノードは、上記第１優先度の条件、上記第２優先度の条件、上記第３優先度の条件を満たさない場合、その同期優先度が第４優先度である。
【００５１】
具体的に、前記ノードの同期優先度を第４優先度に確定するステップ２１４は、ステップ２１４１〜ステップ２１４２を含む。
【００５２】
ステップ２１４１において、前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定する。
【００５３】
本ステップにおいて、前記ノードが前記ＧＮＳＳの情報を直接的に取得することができないものの、間接の２ホップ以上によってＧＮＳＳの情報を取得することができれば、当該ノードは、基地局のカバレッジエリア内であるかカバレッジエリア外であるかに関わらず、その同期優先度がいずれも第４優先度である。すなわち、当該第４優先度のノードは、カバレッジ内ノードであることと、間接の２ホップ以上によってＧＮＳＳの情報を取得することのできるノードであることとの２つの条件を満たす必要がある。または、当該第４優先度のノードは、カバレッジ外ノードであることと、間接の２ホップ以上によってＧＮＳＳの情報を取得することのできるノードであることとの２つの条件を満たす必要がある。または、当該第４優先度のノードは、部分カバレッジノードであることと、間接の２ホップ以上によってＧＮＳＳの情報を取得することのできるノードであることとの２つの条件を満たす必要がある。
【００５４】
ステップ２１４２において、前記ノードが前記基地局のカバレッジエリア外になり、かつ前記ノードが独立同期ソースを用いる場合、前記ノードの同期優先度を第４優先度に確定する。
【００５５】
本ステップにおいて、当該ノードがカバレッジ外ノードであり、かつ当該カバレッジ外ノードが同期参照ノードを全く選択せずに独立同期ソースを形成すると、当該ノードの同期優先度は、第４優先度である。
【００５６】
さらに、前記同期方法が基地局に基づく同期であれば、ステップ２１は、ステップ２１５〜ステップ２１８を含む。
【００５７】
ステップ２１５において、前記ノードが前記基地局のカバレッジエリア内にあり、かつ前記ノードが前記基地局に同期する場合、前記ノードの同期優先度を第１優先度に確定する。
【００５８】
本ステップにおいて、第１優先度のノードは、カバレッジ内ノードであることと、基地局に同期するノードであることとの２つの条件を満たす必要がある。
【００５９】
ステップ２１６において、前記ノードが前記基地局のカバレッジエリア外にあり、かつ前記ノードが前記ＧＮＳＳの情報を直接的に取得することができる場合、前記ノードの同期優先度を第２優先度に確定する。
【００６０】
本ステップにおいて、前記ノードが前記基地局のカバレッジエリア外にあることは、具体的にカバレッジ外ノードであることを指す。当該第２優先度のノードは、カバレッジ外ノードであることと、ＧＮＳＳの情報を直接的に取得することのできるとの２つの条件を満たす必要がある。
【００６１】
ステップ２１７において、前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定する。
【００６２】
本ステップにおいて、前記ノードが前記基地局のカバレッジエリア外にあることは、具体的にカバレッジ外ノードであることを指す。当該第３優先度のノードは、カバレッジ外ノードであることと、間接の１ホップによってＧＮＳＳの情報を取得することのできるノードであることとの２つの条件を満たす必要がある。
【００６３】
ステップ２１８において、それ以外の場合、前記ノードの同期優先度を第４優先度に確定する。すなわち、ノードは、上記第１優先度の条件、上記第２優先度の条件、上記第３優先度の条件を満たさない場合、その同期優先度が第４優先度である。
【００６４】
具体的に、前記ノードの同期優先度を第４優先度に確定するステップ２１８は、ステップ２１８１〜ステップ２１８３を含む。
【００６５】
ステップ２１８１において、前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定する。
【００６６】
本ステップにおいて、ノードが前記基地局のカバレッジエリア外にあることは、具体的にカバレッジ外ノードであることを指す。当該第４優先度のノードは、カバレッジ外ノードであることと、間接の２ホップ以上によってＧＮＳＳの情報を取得することのできるノードであることとの２つの条件を満たす必要がある。
【００６７】
ステップ２１８２において、前記ノードが前記基地局のカバレッジエリア外になり、かつ前記ノードが基地局のカバレッジエリア内のノードから送信される同期情報を受信することができる場合、前記ノードの同期優先度を第４優先度に確定する。
【００６８】
本ステップにおいて、前記ノードが前記基地局のカバレッジエリア外になり、かつ前記ノードが基地局のカバレッジエリア内のノードから送信される同期情報を受信することができることは、具体的に部分カバレッジノードであることを指す。すなわち、基地局に基づく同期方法の場合、ノードが部分カバレッジノードであれば、当該ノードは、ＧＮＳＳの情報を直接的に取得するか間接的に取得するかに関わらず、その同期優先度は、いずれも第４優先度である。
【００６９】
ステップ２１８３において、前記ノードが前記基地局のカバレッジエリア外になり、かつ前記ノードが独立同期ソースを用いる場合、前記ノードの同期優先度を第４優先度に確定する。
【００７０】
本ステップにおいて、当該ノードがカバレッジ外ノードであり、かつ当該カバレッジ外ノードが同期参照ノードを全く選択せずに独立同期ソースを形成すると、当該ノードの同期優先度は、第４優先度である。
【００７１】
具体的に、本開示の実施例２のステップ２２は、ステップ２２１〜ステップ２２４を含む。
【００７２】
ステップ２２１において、前記ノードの同期優先度が第１優先度である場合、前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定するが、前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定する。
【００７３】
なお、本開示の実施例において、第１同期シーケンスは、ｉｄ＿ｎｅｔシーケンスであり、第２同期シーケンスは、ｉｄ＿ｏｏｎシーケンスであり、第１同期シーケンスのＩＤの値の範囲は、［０，１６７］であり、第２同期シーケンスのＩＤの値の範囲は、［１６８，３３５］である。カバレッジエリアマークは、Ｉｎ  ｃｏｖｅｒａｇｅマークである。第１マークは、Ｔｒｕｅであり、第２マークは、Ｆａｌｓｅである。
【００７４】
本ステップにおいて、第１優先度のノードに対し同期シーケンスとカバレッジエリアマークをセットする。具体的に、
ＧＮＳＳに基づく同期の場合、同期シーケンスをｉｄ＿ｎｅｔシーケンスから選択し、ｉｄを第１固定値Ｘ１にセットし、かつＩｎ  ｃｏｖｅｒａｇｅをＴｒｕｅにセットする。
基地局に基づく同期の場合、同期シーケンスをｉｄ＿ｎｅｔシーケンスから選択し、ｉｄを第３固定値Ｘ３にセットする。ここで、第３固定値Ｘ３は、ｉｄ＿ｎｅｔシーケンスからＸ１、Ｘ２を除外した値である。なお、本ステップにおいて、同期シーケンスは、基地局からシステム情報によって配置される、かつＩｎ  ｃｏｖｅｒａｇｅをＴｒｕｅにセットする。
【００７５】
ステップ２２２において、前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定する。
【００７６】
具体的に、ＧＮＳＳに基づく同期、基地局に基づく同期の場合、第２優先度のノードに対し、いずれも、同期シーケンスをｉｄ＿ｎｅｔシーケンスから選択し、ｉｄを第１固定値Ｘ１にセットし、かつＩｎ  ｃｏｖｅｒａｇｅをＦａｌｓｅにセットする。
【００７７】
ステップ２２３において、前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定する。
【００７８】
具体的に、ＧＮＳＳに基づく同期、基地局に基づく同期の場合、第３優先度のノードに対し、いずれも、同期シーケンスをｉｄ＿ｎｅｔシーケンスから選択し、ｉｄを第２固定値Ｘ２にセットし、かつＩｎ  ｃｏｖｅｒａｇｅをＦａｌｓｅにセットする。
【００７９】
ステップ２２４において、前記ノードの同期優先度が第４優先度である場合、前記ノードに選択される同期参照ノードが第３優先度のノードであれば、前記ノードの同期シーケンスを第２同期シーケンスに確定し、かつ前記第２同期シーケンスのＩＤが第２固定値と所定値（１６８）との和であり、前記ノードのカバレッジエリアマークを第２マークに確定する。前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定する。前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定する。
【００８０】
具体的に、第４優先度のノードに対し、ＧＮＳＳに基づく同期であっても基地局に基づく同期であっても、いずれも以下３種類のケースを含む。
ａ）ノードに選択される同期参照ノードが第３優先度のノードであると、同期シーケンスをｉｄ＿ｏｏｎシーケンスから選択し、ｉｄの値が第２固定値Ｘ２＋１６８であり、かつＩｎ  ｃｏｖｅｒａｇｅをＦａｌｓｅにセットする。
ｂ）ノードに選択される同期参照ノードが第４優先度のノードであると、同期シーケンスをｉｄ＿ｏｏｎシーケンスから選択し、ｉｄの値が同期参照ノードのシーケンスとは同一であり、かつＩｎ  ｃｏｖｅｒａｇｅをＦａｌｓｅにセットする。
ｃ）独立同期ソースの場合、均一分布を採用し、ｉｄ＿ｏｏｎシーケンスの［１６８，３３５］からランダム的に１つの値を選択して独立同期ソースの同期シーケンスとし、かつＩｎ  ｃｏｖｅｒａｇｅをＦａｌｓｅにセットする。
【００８１】
さらに、ステップ２２は、ステップ２２５をさらに含む。
ステップ２２５において、前記ノードの同期優先度が第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定する。
【００８２】
さらに、基地局に基づく同期の場合、ノードが第４優先度であると、下記ケースをさらに含む。
ｄ）ｅＮＢに基づく同期の場合、部分カバレッジノードの同期参照ノードが第１優先度のノードであり、部分カバレッジノードの同期シーケンスが参照ノード（第１優先度のノード）の同期シーケンスのｉｄの値＋１６８であり、Ｉｎ  ｃｏｖｅｒａｇｅがＦａｌｓｅである。
【００８３】
以下例示して説明する。
【００８４】
例１：ＧＮＳＳに基づく同期の同期優先度の識別方法
図４に示されているように、ＧＮＳＳに基づく同期の場合、同期シーケンス（ＳＬＳＳ  ｉｄ）およびｉｎ  ｃｏｖｅｒａｇｅマークセット方法は、以下である。
第１優先度のノード：同期シーケンスをｉｄ＿ｎｅｔから選択し、ＳＬＳＳ  ｉｄを固定値Ｘ１にセットし、かつＩｎ  ｃｏｖｅｒａｇｅをＴｒｕｅにセットする。
第２優先度のノード：同期シーケンスをｉｄ＿ｎｅｔから選択し、ＳＬＳＳ  ｉｄを固定値Ｘ１にセットし、かつＩｎ  ｃｏｖｅｒａｇｅをＦａｌｓｅにセットする。
第３優先度のノード：同期シーケンスをｉｄ＿ｎｅｔから選択し、ＳＬＳＳ  ｉｄを固定値Ｘ２にセットし、かつＩｎ  ｃｏｖｅｒａｇｅをＦａｌｓｅにセットする。
第４優先度のノード：下記ケースに分けて処理する。
ノードに選択される同期参照ノードが第３優先度のノードであると、同期シーケンスをｉｄ＿ｏｏｎから選択し、ＳＬＳＳ  ｉｄの値がＸ２＋１６８であり、かつＩｎ  ｃｏｖｅｒａｇｅをＦａｌｓｅにセットする。
ノードに選択される同期参照ノードが第４優先度のノードであると、同期シーケンスをｉｄ＿ｏｏｎから選択し、ＳＬＳＳ  ｉｄの値が同期参照ノードのシーケンスとは同一であり、かつＩｎ  ｃｏｖｅｒａｇｅをＦａｌｓｅにセットする。
独立同期ソースの場合、均一分布を採用し、ｉｄ＿ｏｏｎシーケンスの［１６８，３３５］からランダム的に１つの値を選択して独立同期ソースの同期シーケンスとし、かつＩｎ  ｃｏｖｅｒａｇｅをＦａｌｓｅにセットする。
【００８５】
例２：基地局に基づく同期の同期優先度の識別方法
図５に示されているように、基地局に基づく同期の場合、同期シーケンスＳＬＳＳ  ｉｄおよびｉｎ  ｃｏｖｅｒａｇｅマークセット方法は、以下である。
第１優先度のノード：同期シーケンスをｉｄ＿ｎｅｔのＸ１、Ｘ２以外から選択する。同期シーケンスは、Ｒ１２  Ｄ２Ｄの設計を再利用してｅＮＢからシステム情報によって配置される。固定値Ｙ１またはＹ２にセットし、かつＩｎ  ｃｏｖｅｒａｇｅをＴｒｕｅにセットする。
第２優先度のノード：同期シーケンスをｉｄ＿ｎｅｔから選択し、ＳＬＳＳ  ｉｄを固定値Ｘ１にセットし、かつＩｎ  ｃｏｖｅｒａｇｅをＦａｌｓｅにセットする。
第３優先度のノード：同期シーケンスをｉｄ＿ｎｅｔから選択し、ＳＬＳＳ  ｉｄを固定値Ｘ２にセットし、かつＩｎ  ｃｏｖｅｒａｇｅをＦａｌｓｅにセットする。
第４優先度のノード：下記ケースに分けて処理する。
ノードに選択される同期参照ノードが第３優先度のノードであると、同期シーケンスをｉｄ＿ｏｏｎから選択し、ＳＬＳＳ  ｉｄの値がＸ２＋１６８であり、かつＩｎ  ｃｏｖｅｒａｇｅをＦａｌｓｅにセットする。
ノードに選択される同期参照ノードが第４優先度のノードであると、同期シーケンスをｉｄ＿ｏｏｎから選択し、ＳＬＳＳ  ｉｄの値が同期参照ノードのシーケンスとは同一であり、かつＩｎ  ｃｏｖｅｒａｇｅをＦａｌｓｅにセットする。
独立同期ソースの場合、均一分布を採用し、ｉｄ＿ｏｏｎシーケンスの［１６８，３３５］からランダム的に１つの値を選択して独立同期ソースの同期シーケンスとし、かつＩｎ  ｃｏｖｅｒａｇｅをＦａｌｓｅにセットする。
部分カバレッジノードの同期参照ノードが第１優先度のノードであると、部分カバレッジノードのＳＬＳＳ  ｉｄが同期参照ノードのＳＬＳＳ  ｉｄの値＋１６８であり、Ｉｎ  ｃｏｖｅｒａｇｅをＦａｌｓｅにセットする。
【００８６】
例３：ＧＮＳＳに基づく同期と、基地局に基づく同期の両方を含むシステム
図６に示されているように、システムのＳＬＳＳ  ｉｄおよびｉｎ  ｃｏｖｅｒａｇｅマークセット方法は、以下である。
第１優先度のノード：
ＧＮＳＳに基づく同期：同期シーケンスをｉｄ＿ｎｅｔから選択し、ＳＬＳＳ  ｉｄを固定値Ｘ１にセットし、かつＩｎ  ｃｏｖｅｒａｇｅをＴｒｕｅにセットする。
基地局に基づく同期：同期シーケンスをｉｄ＿ｎｅｔのＸ１、Ｘ２以外から選択する。同期シーケンスは、Ｒ１２  Ｄ２Ｄの設計を再利用してｅＮＢからシステム情報によって配置される。固定値Ｙ１またはＹ２にセットし、かつＩｎ  ｃｏｖｅｒａｇｅをＴｒｕｅにセットする。
第２優先度のノード：同期シーケンスをｉｄ＿ｎｅｔから選択し、ＳＬＳＳ  ｉｄを固定値Ｘ１にセットし、かつＩｎ  ｃｏｖｅｒａｇｅをＦａｌｓｅにセットする。
第３優先度のノード：同期シーケンスをｉｄ＿ｎｅｔから選択し、ＳＬＳＳ  ｉｄを固定値Ｘ２にセットし、かつＩｎ  ｃｏｖｅｒａｇｅをＦａｌｓｅにセットする。
第４優先度のノード：下記ケースに分けて処理する。
ノードに選択される同期参照ノードが第３優先度のノードであると、同期シーケンスをｉｄ＿ｏｏｎから選択し、ＳＬＳＳ  ｉｄの値がＸ２＋１６８であり、かつＩｎ  ｃｏｖｅｒａｇｅをＦａｌｓｅにセットする。
ノードに選択される同期参照ノードが第４優先度のノードであると、同期シーケンスをｉｄ＿ｏｏｎから選択し、ＳＬＳＳ  ｉｄの値が同期参照ノードのシーケンスとは同一であり、かつＩｎ  ｃｏｖｅｒａｇｅをＦａｌｓｅにセットする。
独立同期ソースの場合、均一分布を採用し、ｉｄ＿ｏｏｎシーケンスの［１６８，３３５］からランダム的に１つの値を選択して独立同期ソースの同期シーケンスとし、かつＩｎ  ｃｏｖｅｒａｇｅをＦａｌｓｅにセットする。
基地局に基づく同期の場合、部分カバレッジノードの同期参照ノードが第１優先度のノードであり、部分カバレッジノードのＳＬＳＳ  ｉｄが同期参照ノードのＳＬＳＳ  ｉｄの値＋１６８であり、Ｉｎ  ｃｏｖｅｒａｇｅをＦａｌｓｅにセットする。
【００８７】
以上の記載をまとめると、本開示の上記実施例による同期優先度の識別方法において、同期シーケンスとｉｎ  ｃｏｖｅｒａｇｅマークの新たな組み合わせによって異なる同期優先度に対応させ、同期情報を送信することによって、受信ノードは、同期優先度を区分する。本開示の実施例による方法は、従来の標準からの変更が少なく、受信ノードによる異なる同期レベルの区分に有利であり、ＧＮＳＳを直接的に取得することのできるノードを同期ソースとすることをサポートし、同時にｅＮＢを同期ソースとすることをサポートする。同期収束を加速させ、同期精度を高め、同期クラスタの数を減らし、統一のタイミングを形成することができる。
【００８８】
実施例３
上述した目的をさらに実現するために、図７に示されているように、本開示の実施例３による同期優先度の識別装置は、
ノードと全球測位衛星システムＧＮＳＳとの接続関係および前記ノードと基地局のカバレッジエリアとの相対関係に基づいて、前記ノードの同期優先度を確定するための優先度確定モジュール３１と、
前記ノードの同期優先度に基づいて、前記ノードの同期シーケンスおよび前記ノードのカバレッジエリアマークを設定するためのマーク設定モジュール３２とを含み、
前記ノードの同期シーケンスとカバレッジエリアマークの組み合わせを、前記ノードの同期優先度を識別するために用いる。
【００８９】
具体的に、本開示の実施例３において、前記装置は、
前記ノードに用いられる同期方法を確定するための同期方法確定モジュールをさらに含む。ここで、前記同期方法は、ＧＮＳＳに基づく同期および基地局に基づく同期を含む。
【００９０】
具体的に、本開示の実施例３において、前記同期方法がＧＮＳＳに基づく同期であれば、前記優先度確定モジュール３１は、
前記ノードが前記基地局のカバレッジエリア内にあり、かつ前記ノードが前記ＧＮＳＳの情報を直接的に取得することができる場合、前記ノードの同期優先度を第１優先度に確定するための第１ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第２ユニットと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第３ユニットと、
前記ノードが前記第１ユニット、第２ユニットおよび第３ユニットの条件を満たさない場合、前記ノードの同期優先度を第４優先度に確定するための第４ユニットとを含む。
【００９１】
具体的に、本開示の実施例３において、前記第４ユニットは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第１サブユニットと、
前記ノードが前記基地局のカバレッジエリア外になり、かつ前記ノードが独立同期ソースを用いる場合、前記ノードの同期優先度を第４優先度に確定するための第２サブユニットとを含む。
【００９２】
具体的に、本開示の実施例３において、前記同期方法が基地局に基づく同期であれば、前記優先度確定モジュール３１は、
前記ノードが前記基地局のカバレッジエリア内にあり、かつ前記ノードが前記基地局に同期する場合、前記ノードの同期優先度を第１優先度に確定するための第５ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第６ユニットと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第７ユニットと、
前記ノードが前記第５ユニット、第６ユニットおよび第７ユニットの条件を満たさない場合、前記ノードの同期優先度を第４優先度に確定するための第８ユニットとを含む。
【００９３】
具体的に、本開示の実施例３において、前記第８ユニットは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第３サブユニットと、
前記ノードが前記基地局のカバレッジエリア外になり、かつ前記ノードが基地局のカバレッジエリア内のノードから送信される同期情報を受信することができる場合、前記ノードの同期優先度を第４優先度に確定するための第４サブユニットと、
前記ノードが前記基地局のカバレッジエリア外になり、かつ前記ノードが独立同期ソースを用いる場合、前記ノードの同期優先度を第４優先度に確定するための第５サブユニットとを含む。
【００９４】
具体的に、本開示の実施例３において、前記マーク設定モジュール３２は、
前記ノードの同期優先度が第１優先度である場合、前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定するための第１設定ユニットと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定するための第２設定ユニットと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定するための第３設定ユニットと、
前記ノードの同期優先度が第４優先度である場合、前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定するための第４設定ユニットとを含む。
【００９５】
具体的に、本開示の実施例３において、前記マーク設定モジュール３２は、
前記ノードの同期シーケンスが第４優先度である場合、前記ノードの同期方法が基地局に基づく同期であり、かつ前記ノードが基地局の部分カバレッジノードであり、かつ前記ノードに選択される同期ノードが第１優先度のノードであると、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定するための第５設定ユニットをさらに含む。
【００９６】
なお、本開示の実施例３による同期優先度の識別装置は、上記実施例１および実施例２による同期優先度の識別方法を応用する識別装置である。上記実施例１および実施例２によるすべての実施形態は、いずれも当該実施例３に適用し、かつ同一または類似な有益な効果を達成することができる。
【００９７】
実施例４
上述した目的をさらに実現するために、図８に示されているように、本開示の実施例４による同期優先度の識別装置は、
プロセッサ４００と、
バスインタフェース４１０を介して前記プロセッサ４００に接続され、前記プロセッサによる操作実行に使用されるプログラムとデータを記憶するためのメモリ４２０とを含み、
プロセッサ４００が前記メモリ４２０に記憶されているプログラムとデータを呼び出して実行することによって、
ノードと全球測位衛星システムＧＮＳＳとの接続関係および前記ノードと基地局のカバレッジエリアとの相対関係に基づいて、前記ノードの同期優先度を確定するための優先度確定モジュール３１と、
前記ノードの同期優先度に基づいて、前記ノードの同期シーケンスおよび前記ノードのカバレッジエリアマークを設定するためのマーク設定モジュール３２とが実現され、
前記ノードの同期シーケンスとカバレッジエリアマークの組み合わせを、前記ノードの同期優先度を識別するために用いる。
【００９８】
なお、本開示の実施例４による同期優先度の識別装置は、上記実施例３による同期優先度の識別装置に対応する。したがって、上記実施例３による同期優先度の識別装置のすべての実施形態は、いずれも当該実施例４に適用し、かつ同一または類似な有益な効果を達成することができる。
【００９９】
以上の記載は、本開示の好ましい実施例形態である。なお、当業者は、本開示に記載されている原理を前提として、複数の改良や修飾を行うことができる。これらの改良や修飾も、本開示の保護範囲として見なされるべきである。
【図１】
2019516290.tif 000003
【図２】
2019516290.tif 000004
【図３】
2019516290.tif 000005
【図４】
2019516290.tif 000006
【図５】
2019516290.tif 000007
【図６】
2019516290.tif 000008
【図７】
2019516290.tif 000009
【図８】
2019516290.tif 000010
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
ノードと全球測位衛星システムＧＮＳＳとの接続関係および前記ノードと基地局のカバレッジエリアとの相対関係に基づいて、前記ノードの同期優先度を確定することと、
前記ノードの同期優先度に基づいて、前記ノードの同期シーケンスおよび前記ノードのカバレッジエリアマークを設定することとを含み、
前記ノードの同期シーケンスとカバレッジエリアマークの組み合わせを、前記ノードの同期優先度を識別するために用いる同期優先度の識別方法。
【請求項２】
前記ノードと前記基地局のカバレッジエリアとの相対関係は、
前記ノードが前記基地局のカバレッジエリア内にあるという第１相対関係と、
前記ノードが、前記基地局のカバレッジエリア外にあるものの、前記基地局のカバレッジエリア内のノードから送信される同期情報を受信して前記基地局のカバレッジエリア内のノードに同期することができるという第２相対関係と、
前記ノードが、前記基地局のカバレッジエリア外にあり、前記基地局のカバレッジエリア内のノードから送信される同期情報を受信することができないという第３相対関係とを含む請求項１に記載の同期優先度の識別方法。
【請求項３】
前記のノードと全球測位衛星システムＧＮＳＳとの接続関係および前記ノードと基地局のカバレッジエリアとの相対関係に基づいて、前記ノードの同期優先度を確定する前に、
前記ノードに用いられる同期方法を確定することをさらに含み、
前記同期方法は、ＧＮＳＳに基づく同期および基地局に基づく同期を含む請求項１に記載の同期優先度の識別方法。
【請求項４】
前記同期方法がＧＮＳＳに基づく同期であれば、前記のノードと全球測位衛星システムＧＮＳＳとの接続関係および前記ノードと基地局のカバレッジエリアとの相対関係に基づいて、前記ノードの同期優先度を確定することは、
前記ノードが前記基地局のカバレッジエリア内にあり、かつ前記ノードが前記ＧＮＳＳの情報を直接的に取得することができる場合、前記ノードの同期優先度を第１優先度に確定することと、
前記ノードが前記基地局のカバレッジエリア外にあり、かつ前記ノードが前記ＧＮＳＳの情報を直接的に取得することができる場合、前記ノードの同期優先度を第２優先度に確定することと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定することと、
それ以外の場合、前記ノードの同期優先度を第４優先度に確定することとを含む請求項３に記載の同期優先度の識別方法。
【請求項５】
前記ノードの同期優先度を第４優先度に確定することは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定することと、
前記ノードが前記基地局のカバレッジエリア外になり、かつ前記ノードが独立同期ソースを用いる場合、前記ノードの同期優先度を第４優先度に確定することとを含む請求項４に記載の同期優先度の識別方法。
【請求項６】
前記同期方法が基地局に基づく同期であれば、前記のノードと全球測位衛星システムＧＮＳＳとの接続関係および前記ノードと基地局のカバレッジエリアとの相対関係に基づいて、前記ノードの同期優先度を確定することは、
前記ノードが前記基地局のカバレッジエリア内にあり、かつ前記ノードが前記基地局に同期する場合、前記ノードの同期優先度を第１優先度に確定することと、
前記ノードが前記基地局のカバレッジエリア外にあり、かつ前記ノードが前記ＧＮＳＳの情報を直接的に取得することができる場合、前記ノードの同期優先度を第２優先度に確定することと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定することと、
それ以外の場合、前記ノードの同期優先度を第４優先度に確定することとを含む請求項３または５に記載の同期優先度の識別方法。
【請求項７】
前記ノードの同期優先度を第４優先度に確定することは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定することと、
前記ノードが前記基地局のカバレッジエリア外になり、かつ前記ノードが基地局のカバレッジエリア内のノードから送信される同期情報を受信することができる場合、前記ノードの同期優先度を第４優先度に確定することと、
前記ノードが前記基地局のカバレッジエリア外になり、かつ前記ノードが独立同期ソースを用いる場合、前記ノードの同期優先度を第４優先度に確定することとを含む請求項６に記載の同期優先度の識別方法。
【請求項８】
前記の前記ノードの同期優先度に基づいて、前記ノードの同期シーケンスおよび前記ノードのカバレッジエリアマークを設定することは、
前記ノードの同期優先度が第１優先度である場合、
前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、
前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定することと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定することと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定することと、
前記ノードの同期優先度が第４優先度である場合、
前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、
前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、
前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定することとを含む請求項７に記載の同期優先度の識別方法。
【請求項９】
前記の前記ノードの同期優先度に基づいて、前記ノードの同期シーケンスおよび前記ノードのカバレッジエリアマークを設定することは、
前記ノードの同期シーケンスが第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定することをさらに含む請求項８に記載の同期優先度の識別方法。
【請求項１０】
ノードと全球測位衛星システムＧＮＳＳとの接続関係および前記ノードと基地局のカバレッジエリアとの相対関係に基づいて、前記ノードの同期優先度を確定するための優先度確定モジュールと、
前記ノードの同期優先度に基づいて、前記ノードの同期シーケンスおよび前記ノードのカバレッジエリアマークを設定するためのマーク設定モジュールとを含み、
前記ノードの同期シーケンスとカバレッジエリアマークの組み合わせを、前記ノードの同期優先度を識別するために用いる同期優先度の識別装置。
【請求項１１】
前記ノードと基地局のカバレッジエリアとの相対関係は、
前記ノードが前記基地局のカバレッジエリア内にあるという第１相対関係と、
前記ノードが、前記基地局のカバレッジエリア外にあるものの、前記基地局のカバレッジエリア内のノードから送信される同期情報を受信して前記基地局のカバレッジエリア内のノードに同期することができるという第２相対関係と、
前記ノードが、前記基地局のカバレッジエリア外にあり、前記基地局のカバレッジエリア内のノードから送信される同期情報を受信することができないという第３相対関係とを含む請求項１０に記載の同期優先度の識別装置。
【請求項１２】
前記ノードに用いられる同期方法を確定するための同期方法確定モジュールをさらに含み、
前記同期方法は、ＧＮＳＳに基づく同期および基地局に基づく同期を含み、
前記同期方法がＧＮＳＳに基づく同期であれば、前記優先度確定モジュールは、
前記ノードが前記基地局のカバレッジエリア内にあり、かつ前記ノードが前記ＧＮＳＳの情報を直接的に取得することができる場合、前記ノードの同期優先度を第１優先度に確定するための第１ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第２ユニットと、
前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第３ユニットと、
前記ノードが前記第１ユニット、第２ユニットおよび第３ユニットの条件を満たさない場合、前記ノードの同期優先度を第４優先度に確定するための第４ユニットとを含み、
前記同期方法が基地局に基づく同期であれば、前記優先度確定モジュールは、
前記ノードが前記基地局のカバレッジエリア内にあり、かつ前記ノードが前記基地局に同期する場合、前記ノードの同期優先度を第１優先度に確定するための第５ユニットと、
前記ノードが前記基地局のカバレッジエリア外にあり、かつ前記ノードが前記ＧＮＳＳの情報を直接的に取得することができる場合、前記ノードの同期優先度を第２優先度に確定するための第６ユニットと、
前記ノードが前記基地局のカバレッジエリア外にあり、かつ前記ノードが前記ＧＮＳＳの情報を直接的に取得することができないものの、前記ノードがもう１つのノードの転送によって前記ＧＮＳＳの情報を間接的に取得することができる場合、前記ノードの同期優先度を第３優先度に確定するための第７ユニットと、
前記ノードが前記第５ユニット、第６ユニットおよび第７ユニットの条件を満たさない場合、前記ノードの同期優先度を第４優先度に確定するための第８ユニットとを含む請求項１０に記載の同期優先度の識別装置。
【請求項１３】
前記第４ユニットは、
前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第１サブユニットと、
前記ノードが前記基地局のカバレッジエリア外になり、かつ前記ノードが独立同期ソースを用いる場合、前記ノードの同期優先度を第４優先度に確定するための第２サブユニットとを含み、
前記第８ユニットは、
前記ノードが前記基地局のカバレッジエリア外にあり、かつ前記ノードが前記ＧＮＳＳの情報を直接的に取得することができないものの、前記ノードが別の複数ノードの順次転送によって前記ＧＮＳＳの情報を間接的に取得することができる場合、前記ノードの同期優先度を第４優先度に確定するための第３サブユニットと、
前記ノードが前記基地局のカバレッジエリア外になり、かつ前記ノードが基地局のカバレッジエリア内のノードから送信される同期情報を受信することができる場合、前記ノードの同期優先度を第４優先度に確定するための第４サブユニットと、
前記ノードが前記基地局のカバレッジエリア外になり、かつ前記ノードが独立同期ソースを用いる場合、前記ノードの同期優先度を第４優先度に確定するための第５サブユニットとを含む請求項１２に記載の同期優先度の識別装置。
【請求項１４】
前記マーク設定モジュールは、
前記ノードの同期優先度が第１優先度である場合、
前記ノードの同期方法がＧＮＳＳに基づく同期であれば、前記ノードの同期シーケンスを第１同期シーケンスに確定し、かつ前記第１同期シーケンスのＩＤが第１固定値であり、前記ノードのカバレッジエリアマークを第１マークに確定し、
前記ノードの同期方法が基地局に基づく同期であれば、前記ノードの同期シーケンスを第１同期シーケンスに確定し、かつ前記第１同期シーケンスのＩＤが第３固定値であり、前記ノードのカバレッジエリアマークを第１マークに確定するための第１設定ユニットと、
前記ノードの同期優先度が第２優先度である場合、前記ノードの同期シーケンスを第１同期シーケンスに確定し、かつ前記第１同期シーケンスのＩＤが第１固定値であり、前記ノードのカバレッジエリアマークを第２マークに確定するための第２設定ユニットと、
前記ノードの同期優先度が第３優先度である場合、前記ノードの同期シーケンスを第１同期シーケンスに確定し、かつ前記第１同期シーケンスのＩＤが第２固定値であり、前記ノードのカバレッジエリアマークを第２マークに確定するための第３設定ユニットと、
前記ノードの同期優先度が第４優先度である場合、
前記ノードに選択される同期参照ノードが第３優先度のノードであれば、前記ノードの同期シーケンスを第２同期シーケンスに確定し、かつ前記第２同期シーケンスのＩＤが第２固定値と所定値との和であり、前記ノードのカバレッジエリアマークを第２マークに確定し、
前記ノードに選択される同期参照ノードが第４優先度のノードであれば、前記ノードの同期シーケンスを第２同期シーケンスに確定し、かつ前記第２同期シーケンスのＩＤが前記同期参照ノードの第２同期シーケンスのＩＤとは同一であり、前記ノードのカバレッジエリアマークを第２マークに確定し、
前記ノードが独立同期ソースを用いる場合、前記ノードの同期シーケンスを第２同期シーケンスに確定し、かつ前記第２同期シーケンスのＩＤが第２同期シーケンスのうちの任意の値であり、前記ノードのカバレッジエリアマークを第２マークに確定するための第４設定ユニットとを含み、
前記マーク設定モジュールは、
前記ノードの同期シーケンスが第４優先度である場合、前記ノードの同期方法が基地局に基づく同期であり、かつ前記ノードが前記基地局のカバレッジエリア外にあり、かつ前記ノードが基地局のカバレッジエリア内のノードから送信される同期情報を受信することができ、かつ前記ノードに選択される同期ノードが第１優先度のノードであれば、前記ノードの同期シーケンスを第２同期シーケンスに確定し、かつ前記第２同期シーケンスのＩＤが前記同期ノードの第１同期シーケンスのＩＤと所定値との和であり、前記ノードのカバレッジエリアマークを第２マークに確定するための第５設定ユニットをさらに含む請求項１３に記載の同期優先度の識別装置。
【請求項１５】
路車協調通信システムに用いられる同期優先度の識別方法であって、
ノードと全球測位衛星システムＧＮＳＳとの接続関係および前記ノードと基地局のカバレッジエリアとの相対関係に基づいて、前記ノードの同期優先度を確定することと、
前記ノードの同期優先度に基づいて、前記ノードの同期シーケンスおよび前記ノードのカバレッジエリアマークを設定することとを含み、
前記ノードの同期シーケンスとカバレッジエリアマークの組み合わせを、前記ノードの同期優先度を識別するために用いる同期優先度の識別方法。
【国際調査報告】
2019516290.tif 000011
2019516290.tif 000012
2019516290.tif 000013
2019516290.tif 000014